(57)【要約】      （修正有）【課題】杖の使用時には歩行に邪魔にならず、非使用時、添い置いた場所から離脱転倒しにくい状態を維持でき、暗い場所での行動が安全に行えるよう、照明装置（ＬＥＤ）を装備した歩行補助用の杖で、非使用時の杖の支持具とそのＬＥＤ照明付を提供する。【解決手段】杖の支持具は、杖の支柱３を背面に手前方向９０度角、半円形状のアーム４と、このアーム下方に延伸する支柱高さ任意への取り付け具２と、９０度角、半円形状のアーム先端であって、左右Ｔ字に交差する小アームを有すると共に、更に９０度角、半円形状のアームと左右Ｔ字に交差する小アーム下面には滑り止め材を装備する。杖の支持具の下方であって、蓄電池を内蔵したケース５を装備すると共に、杖の支柱を挟んで前方１８０度方向に、支柱に近接してＬＥＤ６を装備し、更に蓄電池とＬＥＤの点灯回路を構成する。【選択図】図１
0003197530.tif 000002
【実用新案登録請求の範囲】
【請求項１】
杖の支柱を背面に手前方向90度角、半円形状のアームと、このアーム下方に延伸する支柱高さ任意への取り付け具と、90度角、半円形状のアーム先端であって、左右Ｔ字に交差する小アームを有すると共に、更に90度角、半円形状のアームと左右Ｔ字に交差する小アーム下面には滑り止め材を装備したことを特徴とする杖の支持具。
【請求項２】
前記杖の支持具の下方であって、蓄電池を内蔵したケースを装備すると共に、杖の支柱を挟んで前方180度方向に、支柱に近接してLEDを装備し、更に蓄電池とLEDの点灯回路を構成したことを特徴とする請求項１記載の杖の支持具。
【考案の詳細な説明】
【技術分野】
【０００１】
本考案は、歩行補助用の杖で、歩行を助ける杖に関するものである。
【背景技術】
【０００２】
従来、杖の使用者は、杖の非使用時、近くの物体に添い置きすることが多く見受けられるが、添い置きした物体から離脱転倒を防ぐ装備がないため、添い置きした物体から容易に離脱転倒する様子が見受けられる。
【０００３】
杖を添い置きした物体から離脱転倒を防ぐ装置に関して、他にも考案されている。
【先行技術文献】
【特許文献】
【０００４】
【特許文献１】特許出願  2001-176400 （特許公開  2002-360321）
【考案の概要】
【考案が解決しようとする課題】
【０００５】
現在、杖の非使用時、該杖の転倒防止は考慮されておらず、唯一装備されている紐を手首に通し保持する方法があるが、諸動作の邪魔になり、あまり利便性が良いとは思われないという課題があった。
【０００６】
尚、杖の使用者は、暗い場所では健常者にも増して不安全な行動をとらざるを得ず、行動に危険が伴う、足元を照らし、より安全な行動がとれるよう身近な杖に装備された照明装置が求められるという課題があった。
【０００７】
そこで、本考案は、上記課題に鑑みてなされたもので、杖の使用時には歩行に邪魔にならず、非使用時、添い置いた場所から離脱転倒しにくい状態を維持できる杖とする方法を提供すると共に、暗い場所での行動が安全に行えるよう、照明装置（以下単に「LED」という。）を装備した歩行補助用の杖で、非使用時の杖の支持具とLED付を提供することを目的とするものである。
【課題を解決するための手段】
【０００８】
かかる目的を達成するため、本考案の杖の支持具は、支柱を背面に手前方向90度角、半円形状のアームと、アーム下方に延伸する支柱高さ任意への取り付け具と、90度角、半円形状のアーム先端であって、左右Ｔ字に交差する小アームを有する構成とする。
【０００９】
更に、半円形状のアームと左右Ｔ字に交差する小アーム下面には滑り止め材を装備して、接触抵抗を増すことで離脱防止効果を高めることを特徴とするものである。
【００１０】
本考案のLEDは、蓄電池を内蔵したケースを杖の持ち手の下方向、任意の高さ、手前側に装備する、LEDを杖の持ち手の下方向、任意の高さ、前方側に装備する、杖の支柱をLEDと蓄電池を内蔵したケースの間に挟んだ状態とする、LEDを杖の持ち手下部前方に装備することで、光が杖にさえぎられることなく、下方面に照射され安全行動がとれる。
【考案の効果】
【００１１】
本考案は、上述の通り構成されているので、次に記載される効果を奏する。
【００１２】
（１）請求項１により、支柱を背面に手前方向90度角、半円形状のアームと、このアーム下方に延伸する支柱高さ任意への取り付け具と、90度角、半円形状のアーム先端であって、左右Ｔ字に交差する小アームを有すると共に、更に90度角、半円形状のアームと左右Ｔ字交差する小プレート下面に滑り止め材を装備して接触抵抗を増し離脱防止効果を高めた。
【００１３】
（２）請求項２により、前記杖の支持具下方であって、蓄電池を内蔵したケースを装備すると共に、杖の支柱を挟んで前方180度方向に、支柱に近接してLEDを装備し、更に蓄電池とLEDの点灯回路を構成したことにより、暗い場所での照明効果で、足元確認を行い安全な行動がとれる。
【図面の簡単な説明】
【００１４】
【図１】杖の支持具とLEDを装備した全体斜視図である。（杖を2点鎖線    で表示）
【図２】杖の支持具
【図３】杖のLED装備図
【図４】杖を物体に添い置きした事例
【図５】暗い場所でのLED点灯事例
【考案を実施するための形態】
【００１５】
以下、本考案に係る杖の支持具の実施の形態を図面に基づいて詳しく説明すると、図１は杖支持具とLEDを装備した全体斜視図であって、杖の持ち手1の下方支柱3任意の位置に取り付け具2で支柱3にアーム4を固定する構成としている。
【００１６】
アーム4下方に蓄電池を内蔵したケース5を任意の位置に装備し、且つ、支柱を挟んで前方にLED6を装備する。
【００１７】
図２は  杖の支持具でアーム4と取り付け具2で構成されていて、アーム4の下面には滑り止め材7が装備されている。
【００１８】
更に、アーム4と、左右Ｔ字に交差する小アーム9の下面には
滑り止め材7が装備されている。
【００１９】
図3は、杖のLED装備図である、蓄電池を内蔵したケース5とLED6から構成され、LEDは下方向照射となっている、取り付け具8で支柱に固定される。
【００２０】
本考案の杖の支持具は上記構成からなり、次にその使用方法を説明する。
【００２１】
杖の非使用時おける据え置き方法は、物体にアームを掛ける方法か物体に添い置く方法が有る、
【００２２】
物体にアームを掛ける方法は、杖の持ち手を持って、例えば、机等の端に杖支持具のアームを掛ける、その状態で手を離せば、杖はそのまま保持される。
【００２３】
物体に添い置く方法は、例えばソファー等の肘掛に、杖支持具のアームを添い置けば、杖は斜めに保持される。
【００２４】
LED点灯は照明回路のスイッチをＯＮすることで、LEDが点灯され、光が杖にさえぎられることなく下方を照らす。
【００２５】
図4は、杖を物体に掛けた事例と添い置きした事例
【００２６】
図５は、暗い場所でのLED点灯の事例
【符号の説明】
【００２７】
1 持ち手
2 8取り付け具
3 支柱 
4 アーム
5 蓄電池内蔵したケース
6 LED
7 滑り止め材
9小アーム
【図１】
0003197530.tif 000003
【図２】
0003197530.tif 000004
【図３】
0003197530.tif 000005
【図４】
0003197530.tif 000006
【図５】
0003197530.tif 000007